(57)【特許請求の範囲】
【請求項１】
植毛台に植毛穴を有し、該植毛穴に複数本のフィラメントを束ねて二つ折りにした毛束が平線を用いて植設されてなる歯ブラシであって、
前記植毛穴が、腹側から背側に向けて貫通して設けられるとともに、内周面の深さ方向途中部に、前記毛束のカーブした底側の部位に当たるしだいに内側の穴面積が小さくなる当止面からなる突部を有し、且つ背側の開口部の端縁にテーパー又はＲ面を有することを特徴とする歯ブラシ。
【請求項２】
前記植毛穴の腹側の開口部の面積（Ｓ）と、植毛穴内周面における前記突部の当止面の内側の穴面積が最も小さくなった頂部における穴面積（ｓ１）との比が０．３５≦ｓ１／Ｓ≦０．６５である、請求項１に記載の歯ブラシ。
【請求項３】
前記当止面が、テーパー面又は外側凸の曲面である、請求項１又は２に記載の歯ブラシ。
【請求項４】
前記植毛穴の内周面における前記突部の当止面の内側の穴面積が最も小さくなった頂部から背側の開口部にわたってしだいに拡大する拡大面を有する請求項１〜３の何れか１項に記載の歯ブラシ。
【請求項５】
前記植毛穴内周面における前記頂部における内側穴面積（ｓ１）と、前記植毛穴の背側の開口部の内側穴面積（ｓ２）との比が１＜ｓ２/ｓ１≦２である請求項４に記載の歯ブラシ。
【発明の詳細な説明】
【技術分野】
【０００１】
本発明は、ヘッド部の植毛台に植毛穴を形成し、その植毛穴に平線を用いて毛束を植設した歯ブラシに関する。
【背景技術】
【０００２】
この種の歯ブラシは、植毛台の成形工程における冷却時の熱収縮に起因する植毛台の変形や、平線を用いて毛束を植設する際の、植毛穴の穴底に加わる衝撃及び応力による植毛台の割れを防止するために、ある程度の植毛台の厚みが必要であり（特許文献１参照）、例えば複数の毛束を有する歯ブラシの場合、その植毛台の厚みとしては、一般的に４．５〜５ｍｍ程度を要していた。しかしながらブラッシングの際、特に頬側面や臼歯や智歯を磨く際には、植毛台はより薄い形状をしている方が使用勝手がよく望ましく、より薄い植毛台を有する歯ブラシが求められていた。
【０００３】
また、植毛穴の内部には毛束に沿って水分や歯磨剤が侵入することもあるが、一度侵入した水分等は乾燥しにくく、管理の仕方によっては雑菌が繁殖して衛生面で良くないだけでなく、歯磨剤の化学成分の残存によるケミカルアタックが生じうる。したがって、植毛台を薄くすると、平線を毛束とともに植毛穴に嵌入させたことによる残留応力も相まって、割れや変形が発生するおそれもあった。
【０００４】
これに対し、植毛穴を背側に貫通させて形成することにより、使用後の歯ブラシの毛束を乾燥しやすくしたものも提案されている（特許文献２参照）。しかし、毛束を平線とともに植毛穴に植設する際、平線で毛束を強く押し付けることができず、支持強度が得られないことから、毛束を摩擦係止するために植毛穴の深さをかせぐ必要があり、植毛台の厚さがある程度必要となる。また、ブラッシングの際に大きな力が加わった場合に毛束が植毛台背側に突出するようなことがあると、口腔内を傷つけてしまう危険性も考えられる。
【０００５】
また、植毛穴の底部に背側に連通する小径の通気孔を設け、植設時に毛束を底部に係止して強く押し付けることを可能にしつつ、通気性を備えた歯ブラシも提案されている（特許文献３、４参照）。しかし、このような底部には、平線を押しつけた時の応力が集中し、しかも通気孔が貫通しているために十分な耐久強度が得られず、残留応力による変形や割れが生じることから、同じく植毛台の厚さを薄くするには限界がある。また、通気孔周りの底部の隅に水分等がたまりやすい構造となり、十分に乾燥させることができないという問題もある。更に、これらは植毛穴とは別に、通気専用の孔を底部に設けるものであるため、毛束を保持するための植毛穴の深さとは別に、通気孔の深さがプラスされ、植毛台の厚さは厚くなる傾向にある。
【先行技術文献】
【特許文献】
【０００６】
【特許文献１】特許２８９６０８４号公報
【特許文献２】実用新案登録第３０８７０９４号公報
【特許文献３】実公平７−５５９３８号公報
【特許文献４】特開平１０−４２９５３号公報
【発明の概要】
【発明が解決しようとする課題】
【０００７】
上記のような事情に鑑み、本発明の目的とするところは、平線により強く押し付けて毛束をしっかりと保持することができ、その際の応力による植毛台の変形や割れも防止でき、水分等が侵入してもたまりにくく、乾燥しやすく、衛生面にも優れ、ケミカルアタックも未然に防止でき、植毛台を薄くできることで、口腔奥に存する歯にも届きやすく使い勝手の良い歯ブラシを提供することにある。
【課題を解決するための手段】
【０００８】
発明者は、かかる課題を解決すべく鋭意検討を行った結果、植毛穴を植毛台腹側から背側に向けて貫通させた構造とし、その内周面に毛束の底部に当たるしだいに縮径する当止面を設けることにより、歯磨剤の残存も少なく、更には植毛台の薄い歯ブラシを提供することが可能であることを見出し、本発明を完成するに至った。
【０００９】
即ち、本発明の要旨は以下の通りである。
〔１〕植毛台に植毛穴を有し、該植毛穴に複数本のフィラメントを束ねて二つ折りにした毛束が平線を用いて植設されてなる歯ブラシであって、前記植毛穴が、腹側から背側に向けて貫通して設けられるとともに、内周面の深さ方向途中部に、前記毛束のカーブした底側の部位に当たるしだいに内側の穴面積が小さくなる当止面からなる突部を有することを特徴とする歯ブラシ、
〔２〕前記植毛穴の腹側の開口部の面積（Ｓ）と、植毛穴内周面における前記突部の当止面の内側の穴面積が最も小さくなった頂部における穴面積（ｓ１）との比が０．３５≦ｓ１／Ｓ≦０．６５である、前記〔１〕に記載の歯ブラシ、
〔３〕前記当止面が、テーパー面又は外側凸の曲面である、前記〔１〕又は〔２〕に記載の歯ブラシ、
〔４〕前記植毛穴の内周面における前記突部の当止面の内側の穴面積が最も小さくなった頂部から背側の開口部にわたってしだいに拡大する拡大面を有する前記〔１〕〜〔３〕の何れかに記載の歯ブラシ、
〔５〕前記植毛穴内周面における前記頂部における内側穴面積（ｓ１）と、前記植毛穴の背側の開口部の内側穴面積（ｓ２）との比が１＜ｓ２/ｓ１≦２である前記〔４〕に記載の歯ブラシ、
〔６〕前記植毛穴は、前記植毛台背側開口部の端縁にテーパー又はＲ面を有する、前記〔１〕〜〔５〕の何れかに記載の歯ブラシ、
である。
【発明の効果】
【００１０】
本発明によれば、貫通穴とすることで、侵入した水分等の乾燥を促進し、衛生面やケミカルアタックの問題を解消でき、内周面の深さ方向途中部にしだいに内側の穴面積が小さくなる当止面からなる突部を設けたことにより、平線により突部で毛束をしっかり保持させつつ、深さに従ってしだいに内側の穴面積が小さくなって形成された当止面に沿って毛束の底側の部位が当たりその接触面積が確保されるので、応力が分散して応力集中が回避され、植毛台の変形や割れも防止され、しかも当該接触面がフィラメントと隙間なく接するため、水分等が侵入してもたまりにくく、貫通した背側から乾燥できる。したがって、従来は植毛台を分厚くせざるを得なかった、平線を用いて毛束を植設した歯ブラシでありながらも、植毛台を薄くすることができる。
【００１１】
ここで、植毛穴の腹側の開口部の面積（Ｓ）と、植毛穴内周面における前記突部の当止面の内側の穴面積が最も小さくなった頂部における穴面積（ｓ１）との比が０．３５≦ｓ１／Ｓ≦０．６５となるように設定すれば、植毛台を薄くしても、毛束を当止面に当止させて十分な支持強度を確保できると同時に、背側の開口面積も確保でき、侵入した水分等を滞りなく乾燥させることができる。
【００１２】
また、前記当止面を、テーパー面又は外側凸の曲面とすれば、当止面における毛束の底側の部位との接触面積がより大きくなり、上記した応力分散効果をより高めることができ、たとえ水分等が侵入しても毛束との間に隙間がほとんどなく、水分等がたまらない状態となる。
【００１３】
さらに、植毛穴の内周面における前記突部の当止面の内側の穴面積が最も小さくなった頂部から背側の開口部にわたってしだいに拡大する拡大面を設けることにより、腹側或いは背側から侵入した水分等を滞りなく乾燥させ、使用後の毛束をより効率よく乾燥させることが可能となる。また、金型の合わせ面を植毛穴の前記頂部に位置させることができ、背側の開口部端縁にバリが生じて口腔内に不快感を与えることを未然に防止できる。
【００１４】
ここで、前記植毛穴内周面における前記頂部における内側穴面積（ｓ１）と、前記植毛穴の背側の開口部の内側穴面積（ｓ２）との比が１＜ｓ２/ｓ１≦２に設定するのが、使用後における毛束の乾燥、更には植毛台の成形時における金型の抜け勾配、及びブラッシングの際に植毛台背側から毛束が突出して口腔内に当たって不快感を与えることを回避する観点から、好適である。前記ｓ２/ｓ１の値を２より大きくすると、ブラッシングの際に当該背側の開口部を通じて毛束が口腔内に当たり不快感を与える可能性も生じてくる。
【００１５】
また、植毛台の背側開口部の端縁にテーパー又はＲ面を設けることにより、背側開口部端縁が接触することによる口腔内への刺激を無くすることができるとともに、使用後に十分に歯ブラシの水切りを行わなかったとしても植毛穴背側の開口部分に残存する水分等の表面張力を構造上小さくすることができ、残存量を少なくして乾燥性を高めることができる。
【図面の簡単な説明】
【００１６】
【図１】（ａ）は、本発明における複数の毛束を有する歯ブラシ植毛台を背側から見た平面図、          （ｂ）は、本発明におけるシングルタフト歯ブラシヘッド部の外観図。
【図２】植毛台の要部の拡大断面図。
【図３】植毛穴についての断面図である。          （ａ）は植毛穴の縦断面図、          （ｂ）、（ｃ）は変形例の縦断面図、          （ｄ）、（ｅ）、（ｆ）は他の変形例を示す拡大断面図。
【図４】植毛穴の各部位寸法についての説明図。
【図５】（ａ）は、貫通穴有限要素解析試験における比較例１の断面図、          （ｂ）は、貫通穴有限要素解析試験における比較例２の断面図、          （ｃ）は、貫通穴有限要素解析試験における比較例３の断面図、          （ｄ）は、貫通穴有限要素解析試験における実施例１の断面図。
【図６】乾燥性試験の結果。
【発明を実施するための形態】
【００１７】
以下に、本発明の実施形態を添付図面に基づき説明する。
【００１８】
本発明に係る歯ブラシは、植毛台１１に植毛穴１２を腹側から背側にかけて貫通させ、平線１３により毛束を植毛したものである。この場合における歯ブラシは、図１（ａ）に示すように複数の毛束を有する歯ブラシ１Ａであってもよいし、図１（ｂ）に示すような、１個のみの毛束を有する、いわゆるシングルタフト歯ブラシ１Ｂであってもよい。
【００１９】
植毛穴は、図２に示すように、植毛台の腹側２５から背側２６に向けて貫通させた構造とし、腹側２５から背側２６に向けた途中部まではストレートの柱状構造を成している。ここで、ストレートの柱状構造は、毛束を植設するにあたって好適な、ストレート形状であればよく、たとえばストレートの円柱構造が挙げられるが、ストレートの楕円柱状構造であってもストレートの四角柱状構造であってもよく、勿論これらに限定されない。そして、前記途中部から、深さに従ってしだいに内側の穴面積が小さくなって形成された当止面２４を有する突部２３が形成されている。このような植毛穴１２に、平線１３を用いて、複数のフィラメント１４からなる毛束２１を２つ折りにして、植毛台腹側２５から植毛台背側２６の方向に向けて押し込むことにより、しだいに内側の穴面積が小さくなる当止面２４に、毛束２１を当止させることができる。当止面２４は、植毛穴の周方向断面の形状に応じ、たとえば、円、楕円、四角等の環状の面より構成されていることが望ましいが、これに限定されず、少なくとも平線１３により２つ折りにされた毛束２１を支持するための面を有していればよい。これにより、毛束２１は当止面２４により応力集中を回避しながらしっかりと平線で支持され、毛束２１が植毛台背側２６に突出するリスクを回避し、且つ、毛束２１の十分な抜毛強度を確保することができる。
【００２０】
突部２３の頂部４１より植毛台背側２６の開口部２９にわたる内周面は、本例では図３（ａ）に示したようにストレートの柱状構造であるが、図３（ｂ）のように植毛台２６背側に向けて拡大した拡大面２７を有する構造でもよいし、図３（ｃ）のような植毛台背側２６に向けて縮小した縮小面を有する構造でもよいが、毛束の乾燥を速めるという観点からは、図３（ｂ）のような拡大した構造がより好ましい。
【００２１】
前記突部２３の当止面２４は、図３（ａ）に示すような、テーパー面としてもよいが、図３（ｄ）に示すような、外側凸の曲面としてもよい。こうすることにより、毛束２１を当止させた際に、毛束２１と植毛穴１２の接触面積を更に大きくすることが可能となり、歯ブラシ使用後の水分や歯磨剤の残存をより少なくすることができる。
【００２２】
また、図３（ｅ）、（ｆ）に示すように、植毛穴の背側開口部２９の端縁部２８をＲ面又はＣ面としてもよい。こうすることにより、たとえ使用後に歯ブラシを良く振って水切りをしなかった場合であっても、水分や歯磨剤等が、表面張力で歯ブラシの植毛台背側２６の開口部２９内に残存するリスクが低減される。ここで、複数の毛束を有する歯ブラシ及びシングルタフト歯ブラシ共に、Ｒ面はたとえばＲ０．０５ｍｍ、Ｃ面はたとえばＣ０．０５ｍｍぐらいが好適であるが、これに限定されない。
【００２３】
次に、本発明の植毛穴１２における各部位の寸法について、図４を用いてより詳細に説明する。
【００２４】
ここで、植毛穴腹側２５の開口部２２における植毛穴内側の面積Ｓと、植毛穴内周面における当止面２４内側の穴面積が最も小さくなった頂部４１における内側の穴面積ｓ１との比は、毛束２１を確実に当止でき、且つ、毛束２１の乾燥をより効果的に行えることを可能にするという観点から、０．３５≦ｓ１／Ｓ≦０．６５となるようにするのが好ましい。ここで、ｓ１／Ｓの値が０．３５より小さいと乾燥性が低下し、０．６５より大きいと当止面積が小さくなることにより、抜毛強度が十分でなくなるし、毛束が止まらずに背面に突出する危険性が出てくる。
【００２５】
同様に、植毛穴の穴形状が円形であった場合には、植毛穴腹側２５の開口部２２における内径Ｄと、植毛穴内周面における当止面２４の内側の穴面積の最も小さくなった頂部４１における内径ｄ１との比は、毛束２１を確実に当止でき、且つ、毛束２１の乾燥をより効果的に行えることを可能にするという観点から、複数の毛束を有する歯ブラシであってもシングルタフト歯ブラシであっても、０．６≦ｄ１／Ｄ≦０．８となるようにするのが好ましい。ここで、ｄ１／Ｄの値が０．６より小さいと乾燥性が低下し、０．８より大きいと当止面積が小さくなることにより、抜毛強度が十分でなくなるし、毛束が止まらずに背面に突出する危険性が出てくる。
【００２６】
毛束２１の乾燥を促進するという観点からは、背側開口部２９の穴面積ｓ２をより大きくした方がよいが、大きくしすぎると、植設された毛束２１の端部が植毛台背側２６に露出し、ブラッシングの際に口腔内に触れることで不快感を与える可能性もある。そこで、植毛穴内周面における突部２３の当止面２４の内側の穴面積の最も小さくなった頂部４１における内側の穴面積ｓ１と、植毛穴の背側の開口部２９の穴面積ｓ２との比は、１＜ｓ２／ｓ１≦２に設定するのが望ましい。
【００２７】
同様に、植毛穴の穴形状が円形であった場合には、背側開口部２９の内径ｄ２をより大きくした方がよいが、大きくしすぎると、植設された毛束２１の端部が植毛台背側２６に露出し、ブラッシングの際に口腔内に触れることで不快感を与える可能性もある。そこで、植毛穴内周面における突部２３の当止面２４の最も縮径した頂部４１における内径ｄ１と、植毛穴の背側の開口部２９の内径ｄ２との比は、１＜ｄ２／ｄ１≦１．４に設定するのが望ましい。
【００２８】
植毛台腹側の植毛穴を形成するストレートの柱状構造における断面積Ｓは、一般的なサイズの毛束を植設できるだけの大きさを有していればそれでよく、複数の毛束を有する歯ブラシであれば、１．０ｍｍ2以上４．６ｍｍ2以下が好ましい。また、シングルタフト歯ブラシであれば、７．０ｍｍ2以上１２．６ｍｍ2以下が好ましい。
【００２９】
同様に、植毛穴の穴形状が円形であった場合には、植毛台腹側の円柱構造の周方向直径Ｄは、複数の毛束を有する歯ブラシの場合には、１．２ｍｍ以上２．４ｍｍ以下が好ましく、シングルタフト歯ブラシであれば、３．０ｍｍ以上４．０ｍｍ以下が好ましい。
【００３０】
頂部４１から、植毛台背側の開口部２９にかけて拡大された構造とする場合、その抜け勾配は、３度以上１０度以下が好ましい。３度未満だと成形における離型時において、成形品の食らいつき等の不良が生じやすくなり、１０度より大きいと、ブラッシングの際に背側の開口部２９を通じて毛束が口腔内に当たり不快感を与える可能性が生じてくる。
【００３１】
植毛穴内周面における突部２３の当止面２４の内側の穴面積の最も小さくなった頂部４１における内側の穴面積ｓ１は、０．４ｍｍ2以上２．９ｍｍ2以下、ｓ２は植毛台成形時の抜け勾配の角度にもよるが、０．４５ｍｍ2以上４．０ｍｍ2以下が好ましい。ｓ１は、０．４ｍｍ2未満であると、毛束の乾燥性が低下するため、２．９ｍｍ2より大きくすると、毛束の当止面積が小さくなり、毛束の抜毛強度が十分の確保できないため、好ましくない。また、ｓ２は０．４５ｍｍ2未満にすると、毛束の乾燥性が低下するため、４．０ｍｍ2より大きくすると、ブラッシングの際に背側の開口部２９を通じて毛束が口腔内に当たり不快感を与える可能性が生じるため、好ましくない。また、同様の理由から、シングルタフト歯ブラシにおける穴面積ｓ１は３．０ｍｍ2以上８．５ｍｍ2以下、ｓ２は、４．８ｍｍ2以上１２．０ｍｍ2以下が好ましい。
【００３２】
植毛穴の穴形状を円形とする場合には、複数の毛束を有する歯ブラシの場合、ｄ１は、０．５ｍｍ以上２．０ｍｍ以下、ｄ２は植毛台成形時の抜け勾配の角度にもよるが、０．６ｍｍ以上２．５ｍｍ以下が好ましい。ｄ１は、０．５ｍｍ未満であると、毛束の乾燥性が低下するため、２．０ｍｍより大きくすると、毛束の当止面積が小さくなり、毛束の抜毛強度が十分の確保できないため、好ましくない。また、ｄ２は０．６ｍｍ未満にすると、毛束の乾燥性が低下するため、２．５ｍｍより大きくすると、ブラッシングの際に背側の開口部２９を通じて毛束が口腔内に当たり不快感を与える可能性が生じるため、好ましくない。同様の理由により、シングルタフト歯ブラシの場合、ｄ１は２．０ｍｍ以上３．２ｍｍ以下、ｄ２は２．２ｍｍ以上３．８ｍｍ以下が好ましい。
【００３３】
植毛台における、植毛台腹側の開口部２２から突部２３の頂部４１までの厚みＨについては、複数の毛束を有する歯ブラシの場合、毛束の抜毛強度を確保する観点から、植毛穴径も比較衡量した上で、２．５ｍｍ以上が望ましい。一方、シングルタフト歯ブラシの場合、複数の毛束を有する歯ブラシよりも毛束自体が太くなるため、毛束が必要とする空間も考慮し、５．０ｍｍ以上が望ましい。
【００３４】
頂部４１から植毛台背側の開口部２９までの厚みｈについては、毛束を形成するフィラメントの太さやフィラメントの本数にもよるが、毛束が植毛台背側に突出することを避けるために、複数の毛束を有する歯ブラシの場合は０．２ｍｍ以上が望ましい。一方、シングルタフト歯ブラシにおいては、植毛台１１における植毛穴１２の軸方向と、歯ブラシ柄部の軸方向とのなす角度が９０°になるように構成するのが一般的であるが、その用途及び仕様に応じて、前記角度を傾斜させて設定することもある。前記角度が９０°に設定される場合、頂部４１から植毛台背側の開口部２９までの厚みｈは、１．０ｍｍ以上が望ましく、前記角度が９０°より傾斜させて設定される場合には、植毛穴周方向断面の中心部により形成される厚みｈが１．０ｍｍ以上になるようにするのが望ましい。
【００３５】
以上にしてなる本発明における歯ブラシの植毛台の最厚部は、複数の毛束を有する歯ブラシの場合には４．０ｍｍ以下に設定することができる。一方、シングルタフト歯ブラシにおいては、植毛台１１における植毛穴１２軸方向と、歯ブラシ柄部軸方向とのなす角度が９０°に設定される場合、歯ブラシの植毛台の最厚部の厚みは８．０ｍｍ以下に設定することができる。一方、前記角度を９０°より傾斜させて設定する場合には、少なくとも植毛台周方向断面の中心部により形成される厚みを、８．０ｍｍ以下に設定することができる。
【００３６】
平線１３は、複数の毛束を有する歯ブラシであっても、シングルタフト歯ブラシであっても、それぞれ一般的な歯ブラシに使用されている公知の平線と、材質、大きさともに同様の物でよい。
【００３７】
植毛台１１に使用する材質に関しても一般的に使用されている公知の材質であってよい。歯ブラシの柄部と一体成形とすると製造面でのコストや工程数が抑えられて好適ではあるが、勿論これに限定されない。
【００３８】
植設される毛束２１のフィラメント１４を構成する素材に関しても特に限定はなく、歯ブラシの毛束用のフィラメントとして使用可能な物理的性質を有していれば、公知の素材からなるものを採用することが可能で、例えばナイロン、ポリエステル、ポリオレフィンなどの樹脂材料を使用できる。
【実施例】
【００３９】
以下、実施例に基づき、本発明の実施形態をより具体的に説明するが、本発明がこれらに限定されるものではない。
【００４０】
（比較例１）
図５（ａ）に示すように、厚さ２．５ｍｍのＰＣＴＧ樹脂に上部からストレート円柱形（直径１．７ｍｍ、深さ２．２ｍｍ）の穴を開けて評価モデルを作製した。
【００４１】
（比較例２）
図５（ｂ）に示すように、厚さ２．５ｍｍのＰＣＴＧ樹脂に上部からストレート円柱形（直径１．７ｍｍ、深さ１．９ｍｍ）、更にその下部に連続して円錐台形（上側直径１．７ｍｍ、下側直径０．８ｍｍ、深さ０．３ｍｍ）の穴を開けて評価モデルを作製した。
【００４２】
（比較例３）
図５（ｃ）に示すように、厚さ２．５ｍｍのＰＣＴＧ樹脂に上部からストレート円柱形（直径１．７ｍｍ、深さ２．２ｍｍ）、更にその下部に段差を介して円柱形（直径０．８ｍｍ、深さ０．３ｍｍ）の穴を開けて貫通させた評価モデルを作製した。
【００４３】
（比較例４）
比較例４として、植毛穴が背側まで貫通していない、サンスター社製ＧＵＭデンタルブラシ（＃２１１）を使用した。尚、同歯ブラシは、植毛台の厚さが５ｍｍ、植毛穴はストレート円柱形（直径１．７ｍｍ、深さ３．３ｍｍ）及び、更に植毛台背側に連続した円錐台形（植毛台腹側直径１．７ｍｍ、植毛台背側直径１．２ｍｍ、深さ０．５ｍｍ）より構成され、２４個の毛束を有している。
【００４４】
（実施例１）
図５（ｄ）に示すように、厚さ２．５ｍｍのＰＣＴＧ樹脂に上部からストレート円柱形（直径１．７ｍｍ、深さ１．９ｍｍ）、その下部には連続的に円錐台形（上側直径１．７ｍｍ、下側直径０．８ｍｍ、深さ０．３ｍｍ）、更にその下部に連続的にストレート円柱形（直径０．８ｍｍ、深さ０．３ｍｍ）の穴を開けて評価モデルを作製した。
【００４５】
（実施例２）
厚さ３．５ｍｍの植毛台に、図４における各寸法を、Ｄ＝１．７ｍｍ、ｄ１＝１．２ｍｍ、ｄ２＝１．２５ｍｍ、Ｈ＝３．０ｍｍ、ｈ＝０．５ｍｍとし、２４個の毛束を有する歯ブラシを作成した。
【００４６】
（評価１：貫通穴有限要素解析試験）
上記の比較例１〜３及び実施例１の評価モデルに対し、有限要素解析を行った。評価モデルを６面体のメッシュ化を行い、それぞれの穴上部より下部に向けて５００ｇ（４．９Ｎ）の負荷をかけ、穴の軸方向下部にかかる最大応力及び軸方向の最大変位を測定した。
【００４７】
表１に示すように、実施例１の最大応力及び最大変位は、比較例１〜３の各値に比べて低い結果となった。つまり、本発明の歯ブラシは、従来品に比べ、平線により毛束を植設した際にも植毛台にかかる負荷が小さく、歪みも小さいことが確認された。
【００４８】
【表１】
0005915347.tif 000002
【００４９】
（評価２：乾燥性試験）
上記の比較例４及び実施例２の歯ブラシを準備し、毛束に残存する水分が測定値に及ぼす影響を極力排除し、植毛穴自体の乾燥性を直接測定値に反映できるようにするために、毛束は、植毛台腹側の２ｍｍだけを残し、カットした。その後、それぞれの歯ブラシの重量測定を行い、それぞれ水で満たした１００ｍＬのビーカーに歯ブラシをヘッドから入れ、ビーカーに入れたまま１０秒間振ることにより、歯ブラシ毛束内の空気を飛ばし、３分間静置した後、歯ブラシをビーカーより引き上げ、ビーカーの縁で歯ブラシネック部を軽くたたき、植毛台部の水滴をティッシュで拭きとった後、即座に歯ブラシ重量の測定を行った。それぞれの歯ブラシについて、水に入れる前と後の重量差を算出し、これを０時間値とした。さらに、その０時間値を起点とし、その後恒温恒湿槽（２３℃、８５％）に静置し、経時的に１、２、３時間後にも重量の測定を行い、それぞれビーカーに入れる前の重量との差を算出した。尚、計測に際しては、比較例４及び実施例２の歯ブラシをそれぞれ３本ずつ用意して３本とも同様の測定を行い、それぞれ３本の平均値で集計をおこなった。
【００５０】
図６に示すように、実施例２の測定値は、比較例４の測定値に比較して、０時間の時点では高値をしめしたものの、１時間後以降の測定値においては、実施例２の測定値の方が比較例４の測定値よりも低値を示した。以上から、植毛穴を貫通構造としたことにより、使用後の毛束の乾燥性が従来品に比べて向上していることが確認された。
【符号の説明】
【００５１】
１Ａ、    複数の毛束を有する歯ブラシ
１Ｂ、    シングルタフト歯ブラシ
１１、    植毛台
１２、    植毛穴
１３、    平線
１４、    フィラメント
２１、    毛束
２２、    植毛穴腹側の開口部
２３、    突部
２４、    当止面
２５、    腹側
２６、    背側
２７、    拡大面
２８、    端縁部
２９、    開口部
４１、    当止面の内側の穴面積が最も小さくなった頂部
Ｄ、      植毛台腹側開口部における植毛穴内径
ｄ１、    植毛穴縮径面内周の最も縮径した頂部における内径
ｄ２、    植毛台背側開口部における植毛穴内径
Ｈ、      植毛台腹側から植毛穴縮径面の最も縮径した頂部に至るまでの植毛台厚み方向長さ
ｈ、      植毛台腹側から植毛穴縮径面の最も縮径した頂部から植毛台背側に至るまでの植毛台厚み方向長さ
【図１】
0005915347.tif 000003
【図２】
0005915347.tif 000004
【図３】
0005915347.tif 000005
【図４】
0005915347.tif 000006
【図５】
0005915347.tif 000007
【図６】
0005915347.tif 000008